(57)【要約】【課題】  内枠落下防止用のストッパーを取り付けることなく、内枠の落下を防止できる天井点検口を開発する。【解決手段】  正方形状の外枠と内枠とを有し、外枠の各辺の内面の両端部に辺中央側に入口を有する軸受溝を形成すると共に、内枠の対向する２辺の端部に軸ピンを突出形成し、該軸ピンを外枠の任意の辺の該軸受溝に挿入し軸支することで内枠を任意の方向に開閉可能に取り付ける天井点検口において、前記軸受溝の下辺を上辺よりも中央側に向かって長く形成すると共に、該下辺の末端に停止部を上方に向かって突出形成する。内枠を開けた衝撃で、軸ピンが軸受溝を辺中央方向に移動しても、停止部に当接して移動が停止し、軸ピンが軸受溝から外れることがなく、したがって内枠が落下するのを防止できる。【選択図】      図７
2006077405.tif 000002
【特許請求の範囲】
【請求項１】
正方形状の外枠と内枠とを有し、外枠の各辺の内面の両端部に辺中央側に入口を有する軸受け溝を形成すると共に、内枠の対向する２辺の端部に軸ピンを突出形成し、該軸ピンを外枠の任意の辺の該軸受け溝に挿入し軸支することで内枠を任意の方向に開閉可能に取り付ける天井点検口において、前記軸受溝の下辺を上辺よりも中央側に向かって長く形成すると共に、該下辺の末端に停止部を上方に向かって突出形成したことを特徴とする天井点検口。
【請求項２】
請求項１に記載の天井点検口において、前記停止部から辺中央側に向かって高さが該停止部よりも低く前記軸ピンを支持することができる受辺部を設けると共に、該受辺部の末端に第二停止部を上方に向かって突出形成したことを特徴とする天井点検口。
【発明の詳細な説明】
【技術分野】
【０００１】
本発明は、建造物の天井に、天井裏の点検や補修作業のために設置される天井点検口に関する。
【背景技術】
【０００２】
天井点検口は、外枠と、これに着脱自在の内枠とからなり、まず外枠を天井に取り付けた後、内枠を外枠内面に軸支し、内枠を外枠に対して回動することで開閉するものである。外枠、内枠共に通常アルミなどの金属の型材で組み立てられ、内枠には天井板と同じ板材が取り付けられる。
【０００３】
従来の天井点検口は、外枠の対向する２辺の内側の端部付近に軸ピンが突出形成されており、内枠の対向する２辺の端部付近には内側に入口を有する軸受溝が形成されており、外枠の軸ピンが内枠の該軸受溝に挿入するように内枠を外枠に軸支し、内枠を外枠に対して回動することで開閉するものである。
【０００４】
外枠に設けられている軸ピンは２カ所のみであり、したがって、内枠を軸支する位置（いわゆる「吊元」）は定められた１カ所のみであった。
【０００５】
このような従来の天井点検口においては、外枠に対して、内枠を軸支する位置が定められていたから、外枠を天井に取り付けてしまえば、吊元の位置は決定してしまう。例えば、壁際や他の天井器具の付近においては、不適当な吊元の位置がある。そのような場所では、どの方向に吊元がくればよいかを確認した後に、外枠を取り付けなければならない。しかし、実際の施工では、外枠を取り付けてしまった後に、はじめてその吊元の方向が適当でないことがわかり、外枠を取り付け直すことがしばしばある。
【０００６】
このような問題点を解消し、内枠を外枠に取り付ける際に、吊元の位置を自由に選択し、どの方向にも取り付けることができる天井点検口が、下記特許文献１に記載されている。これは、外枠の各辺の内側の両端部に中央側に入口を有する軸受溝を形成し、さらに、内枠の対向する２辺の端部寄りに軸ピンを突出形成し、内枠の軸ピンを外枠の任意の辺の軸受溝に挿入し軸支することで、内枠の任意の辺が吊元となるように外枠に取り付けるものである。
【０００７】
また、下記特許文献２には、このような吊元の位置を任意に選べる天井点検口において、内枠を開けた衝撃で軸ピンが軸受溝から外れ、内枠が落下するのを防止するために、ストッパーを設ける技術が開示されている。このストッパーはプラスチック製で、外枠の適当な位置に装着するものである。
【特許文献１】特開２０００−１９２６４６号公報
【特許文献２】特開２０００−２０４７４８号公報
【発明の開示】
【発明が解決しようとする課題】
【０００８】
上記の内枠落下防止のストッパーは、内枠を外枠にセットしてから取り付けなければならないので、作業が煩雑であり、取り付け忘れによる内枠の落下事故の可能性もある。また、メンテナンスで内枠を外枠から取り外す場合、ストッパーを取り外し、メンテナンス終了後に再びストッパーを取り付けなければならず、きわめて煩雑であった。
【０００９】
本発明は、内枠落下防止用のストッパーを取り付けることなく、内枠の落下を防止できる天井点検口を開発するためになされたものである。
【課題を解決するための手段】
【００１０】
〔構成１〕
本発明は、正方形状の外枠と内枠とを有し、外枠の各辺の内面の両端部に辺中央側に入口を有する軸受溝を形成すると共に、内枠の対向する２辺の端部に軸ピンを突出形成し、該軸ピンを外枠の任意の辺の該軸受溝に挿入し軸支することで内枠を任意の方向に開閉可能に取り付ける天井点検口において、前記軸受溝の下辺を上辺よりも中央側に向かって長く形成すると共に、該下辺の末端に停止部を上方に向かって突出形成したことを特徴とする天井点検口である。
【００１１】
〔構成２〕
また本発明は、前記構成１の天井点検口において、前記停止部から辺中央側に向かって高さが該停止部よりも低く前記軸ピンを支持することができる受辺部を設けると共に、該受辺部の末端に第二停止部を上方に向かって突出形成したことを特徴とする天井点検口である。
【発明の効果】
【００１２】
内枠を開けた衝撃で、軸ピンが軸受溝を辺中央方向に移動しても、停止部に当接して移動が停止し、軸ピンが軸受溝から外れることがなく、したがって内枠が落下するのを防止できる。
【００１３】
また、停止部から辺中央側に向かって高さが該停止部よりも低く前記軸ピンを支持することができる受辺部を設けると共に、該受辺部の末端に第二停止部を上方に向かって突出形成すると、万一、軸ピンが停止部を乗り越えた場合でも、受辺部によって支持されると共に、第二停止部で移動が停止するので、より確実に内枠の落下を防止することができる。
【００１４】
したがって、本発明の天井点検口は、ストッパーを装着する煩雑な作業が不要となり、またストッパーを取り付け忘れる事故の心配もない。
【発明を実施するための最良の形態】
【００１５】
軸ピンを、その軸線方向に摺動可能で、かつ、外側に向かって付勢されているように構成することが望ましい。内枠を外枠内に取り付ける際に軸ピンが引っ込むので邪魔にならず、作業が容易となる。内枠を外枠に取り付けた後は、軸ピンの付勢力により内枠が両側から中心方向に押圧されるので、内枠を開閉するときに外枠と接触しにくく、内枠の開閉をなめらかに行うことができる。
【実施例】
【００１６】
以下、実施例を表した図面に基づいて本発明を詳細に説明する。図１は実施例の天井点検口の上面図、図２は外枠１の斜視図、図３は外枠１の端部付近の部分断面図、図４は内枠１１の斜視図、図５は内枠１１の端部付近の部分側面図、図６は外枠１に内枠１１を取り付けた状態の斜視図、図７は内枠取り付けの説明図、図８は図１におけるＡＡ線断面図、図９はコーナー材３の斜視図、図１０は図１におけるＢＢ線断面図である。
【００１７】
実施例の天井点検口は、外枠１とその中に取り付けられる内枠１１からなる。外枠１は１辺の長さに切った（切り口は４５度の角度になっている）型材２を４本組み合わせたものである。型材２は、図３に示すように、縦板部４とその下端から外側に突出した横板部５とで概略Ｌ字形に形成されている。縦板部４の内側にはＣ形溝６が形成されている。Ｃ形溝６は、先端部７ａを有する上方の突条７と先端部８ｂを有する下方の突条８により断面形状が概略Ｃ形になっている。また、縦板部４の上端には鈎溝９が形成されている。４本の型材２は、コーナー材３を端部に差し込むことで組み立て一体化される。コーナー材３はＣ形溝６に挿入されて嵌合する。
【００１８】
コーナー材３は、図３、９に示すように、板材をＬ字形に形成したもので、その両端には端部に入口１０ａを有する水平な軸受溝１０が切り欠き形成されている。軸受溝１０の下辺１０ｂは上辺１０ｃよりも外側に向かって（外枠の辺の中央側に向かって）長く形成され、下辺１０ｂの末端に停止部３１が上方に向かって突出形成している。停止部３１は、軸ピン１８が入口１０ａから軸受溝１０内に進入できる位置に設けられている。また、停止部３１の軸受溝１０側の上部は突出部３１ａとなっており、軸ピン１８が上方に跳ね上がりにくくなっている。停止部３１から外側に向かって（外枠の辺の中央側に向かって）高さが停止部３１よりも低い受辺部３２が設けられ、更に受辺部３２の末端に第二停止部３３が上方に向かって突出形成されている。受辺部３２の高さは軸受溝の下辺１０ｂとほぼ等しい高さが望ましい。
【００１９】
コーナー材３が四隅に設けられることで、外枠１の各辺の内側の両端付近に、内側に入口１０ａを有する軸受溝１０が形成され、軸受溝１０の数は合計８カ所となる。
【００２０】
外枠１には、図１０に示すように、内枠を閉めたときに内枠が所定の位置で停止するように、位置決め部３０が設けられている。すなわち、内枠１１を閉めると、内枠１１の当接面２４が外枠１の位置決め部３０に当接し、内枠が位置決めされる。位置決め部３０は外枠１に設けた穴に差し込むことで設けられ、着脱自在となっている。
【００２１】
内枠１１は１辺の長さに切った（切り口は４５度の角度になっている）型材１２を４本組み合わせたものである。型材１２は、図８、１０に示すように、縦板部１３とその下端から内外に突出した横板部１４とで概略Ｔ字形に形成されている。縦板部１３の外側にはＣ形溝１５が形成されている。Ｃ形溝１５は、突条１６と横板部１４により断面形状が概略Ｃ形になっている。４本の型材１２は、コーナー材１７を端部に差し込むことで組み立て一体化される。コーナー材１７はＣ形溝１５に挿入されて嵌合する。コーナー材１７は、コ字状の断面を有する板材をＬ字形に形成したものである。
【００２２】
図１、４などに示すように、内枠１１の対向する２辺の外側の端部付近には、軸ピン１８が突出形成されている。図８に示すように、軸ピン１８が装着されている部分の内枠のコーナー材１７には、軸ピン１８を挿通する貫通孔１９の周囲を囲んで補強ボス部２０が設けられている。補強ボス部２０は肉厚に形成され、さらに内側に円筒形部分が突出している。これにより、貫通孔１９の周囲が補強され、軸ピンがブレることなく安定して支持される。軸ピン１８の後端付近にはフランジ部２１が形成されている。軸ピンはその軸線方向に貫通孔１９を摺動する。コイルばね２２は軸ピン１８の後端に装着され、軸ピン１８を外枠方向に付勢している。また、内枠１１には、図１に示すように、掛金２３が設けられている。掛金２３は垂直方向の軸を回すことで回転する。内枠を閉めたときは掛金２３を回して内枠をロックし、内枠を開けるときは掛金２３を反対方向に回してロックを解除する。このような掛金は公知のものである。
【００２３】
内枠１１の型材１２で囲まれた内側の開口は、天井板と同じ板材（図示せず）を横板部１４の上に取り付けることで塞がれる。
【００２４】
内枠１１は、天井に取り付けられた外枠１に取り付けられる。図７に示すように、内枠１１を縦にした状態で外枠１内に差し入れ、矢印Ａ方向に移動して軸ピン１８を軸受溝１０に入口１０ａから挿入する。これにより、図６に示すように、外枠１に容易に取り付けられる。その後、内枠１１を図６の矢印Ｂに示すように回動させると、内枠１１は軸ピン１８を中心にして回動して閉じ、掛金２３を掛けると、図１に示すように、完全に閉じた状態が保たれる。内枠１１を閉めた場合、軸ピン１８は図７に実線で示す位置を占める。内枠を開く場合は、掛金２３を回転させて解除し、図６の状態に開けばよい。そして、軸ピン１８が軸受溝１０から抜け出るように内枠を移動すれば、内枠を容易に取り外すこともできる。
【００２５】
次に、図７に基づいて、本発明の内枠脱落防止機構について説明する。内枠１１を閉めた状態では、軸ピン１８は実線で示す位置にあるが、内枠を開けた衝撃で、軸ピン１８が矢印Ｂ方向に移動することがある。しかし、このようなときでも軸ピン１８は停止部３１に衝突して停止するから、軸ピンすなわち内枠が脱落することがない。停止部３１の軸受溝１０側の上部は突出部３１ａとなっており、軸ピン１８が上方に跳ね上がりにくくなっているので、なおさらである。また万一、矢印Ｃに示すように軸ピン１８が跳ね上がって停止部３１を乗り越えても、軸ピン１８は受辺部３２に支持され、更に第二停止部３３に衝突して停止するので、軸ピンすなわち内枠が脱落することがない。
【図面の簡単な説明】
【００２６】
【図１】実施例の天井点検口の上面図である。
【図２】外枠１の斜視図である。
【図３】外枠１の端部付近の部分断面図である。
【図４】内枠１１の斜視図である。
【図５】内枠１１の端部付近の部分側面図である。
【図６】外枠１に内枠１１を取り付けた状態の斜視図である。
【図７】内枠取り付けの説明図である。
【図８】図１におけるＡＡ線断面図である。
【図９】コーナー材３の斜視図である。
【図１０】図１におけるＢＢ線断面図である。
【符号の説明】
【００２７】
１  外枠
２  型材
３  コーナー材
４  縦板部
５  横板部
６  Ｃ形溝
７  突条
７ａ  先端部
８  突条
８ａ先端部
９  鈎溝
１０  軸受け溝
１０ａ  入口
１１  内枠
１２  型材
１３  縦板部
１４  横板部
１５  Ｃ形溝
１６  突条
１７  コーナー材
１８  軸ピン
１９  貫通孔
２０  補強ボス部
２１  フランジ部
２２  コイルばね
２３  掛金
２４  当接面
３０  位置決め部
３１  停止部
３２  受辺部
３３  第二停止部
【図１】
2006077405.tif 000003
【図２】
2006077405.tif 000004
【図３】
2006077405.tif 000005
【図４】
2006077405.tif 000006
【図５】
2006077405.tif 000007
【図６】
2006077405.tif 000008
【図７】
2006077405.tif 000009
【図８】
2006077405.tif 000010
【図９】
2006077405.tif 000011
【図１０】
2006077405.tif 000012